(57)【要約】  方法、デバイス、およびシステムは、離調より前に偽またはフェイクNAK/Txメッセージをトリガすることによって、マルチSIM、マルチスタンバイワイヤレスデバイスにおけるネットワークサブスクリプションのための改善されたスループットを提供する。本技法は、第1のサブスクリプション通信モード中に、ユーザ機器において、ノードからの通信を受信および復号すること、ユーザ機器が第2のサブスクリプション通信モードにおいて通信する離調期間より前のある時間期間の後、ノードからユーザ機器への通信に応答して、ユーザ機器からノードにフェイクNACKメッセージを通信すること、ならびに、離調期間が終了した後、ノードからユーザ機器において通信を受信し、ACKメッセージで応答することを含む。
2019503602.tif 000002
【特許請求の範囲】
【請求項１】
第1のサブスクリプションと第2のサブスクリプションとを有する、ワイヤレス通信デバイスを管理する方法であって、
第1のサブスクリプション通信モード中に、ユーザ機器において、ノードからの通信を受信するステップと、
前記ユーザ機器が第2のサブスクリプション通信モードにおいて通信する離調期間より前のある時間期間の後、前記ノードから前記ユーザ機器への通信に応答して、前記ユーザ機器から前記ノードに少なくとも1つのフェイクNACKメッセージを送るステップと、
前記離調期間が終了した後、前記ノードから前記ユーザ機器において通信を受信し、ACKメッセージで応答するステップと
を含む方法。
【請求項２】
前記ノードからの再送信である、前記離調期間後に受信された、前記受信された通信が、再送信として受信されたとき、前記ユーザ機器によって復号されない、請求項1に記載の方法。
【請求項３】
前記ユーザ機器が前記離調期間に入るより前に、前記ある時間期間を決定するステップをさらに含む、請求項1に記載の方法。
【請求項４】
前記第1のサブスクリプション通信モードがLTEであり、前記第2のサブスクリプション通信モードがGSM(登録商標)である、請求項1に記載の方法。
【請求項５】
前記ユーザ機器と前記ノードとの間の通信のためのスケジューリングレートを決定するステップをさらに含む、請求項1に記載の方法。
【請求項６】
前記ある時間期間の後、および前記離調期間より前に、前記ノードからの通信に応答して、フェイクNACKメッセージを送る前記ステップが、前記スケジューリングレートが50%よりも低い場合に発生する、請求項5に記載の方法。
【請求項７】
前記ある時間期間の後、および前記離調期間より前に、前記ノードからの通信に応答して、前記ユーザ機器から前記ノードに少なくとも1つのフェイクNACKメッセージを送る前記ステップが、前記決定されたスケジューリングレートがしきい値よりも低い場合に発生する、請求項5に記載の方法。
【請求項８】
前記スケジューリングレートの前記決定が、前記離調期間より100ms前に行われる、請求項5に記載の方法。
【請求項９】
ワイヤレス通信デバイスであって、
少なくとも1つの無線周波数(RF)リソースと、
前記少なくとも1つのRFリソースに結合され、第1のサブスクリプションに関連付けられた第1の加入者識別モジュール(SIM)に、および第2のサブスクリプションに関連付けられた第2のSIMに接続するように構成され、プロセッサ実行可能命令で構成された、プロセッサであって、前記プロセッサ実行可能命令が、
前記第1のサブスクリプションに関連付けられた第1の通信モード中に、ノードからの通信を受信すること、
前記第2のサブスクリプションに関連付けられた第2の通信モードのための離調期間より前のある時間期間後に受信された、前記ノードからの通信に応答して、前記ノードに少なくとも1つのフェイクNACKメッセージを送ること、および
前記離調期間の後、前記ノードからの通信を受信し、ACKメッセージで応答すること
を行うためのものである、ワイヤレス通信デバイス。
【請求項１０】
前記プロセッサが、前記ノードとの通信のためのスケジューリングレートを決定するためのプロセッサ実行可能命令でさらに構成される、請求項9に記載のデバイス。
【請求項１１】
前記ある時間期間の後、および前記離調期間より前に、前記ノードからの通信に応答して、フェイクNACKメッセージを前記送ることが、前記スケジューリングレートが50%よりも低い場合に発生する、請求項10に記載のデバイス。
【請求項１２】
前記ある時間期間の後、および前記離調期間より前に、前記ノードからの通信に応答して、前記ノードに少なくとも1つのフェイクNACKメッセージを前記送ることが、前記決定されたスケジューリングレートがしきい値よりも低い場合に発生する、請求項10に記載のデバイス。
【請求項１３】
前記スケジューリングレートの前記決定が、前記離調期間より100ms前に行われる、請求項10に記載のデバイス。
【請求項１４】
第1のデバイスが第1のサブスクリプションモードおよび第2のサブスクリプションモードにおいて選択的に動作するように構成される、通信システムであって、前記通信システムが、
第1のサブスクリプションモードにおいて通信するように構成されたシングルモード通信ノードと、
前記第1のサブスクリプションモードである間、前記シングルモード通信ノードからの通信を受信するように構成された、デュアルモード通信デバイスとを備え、前記デュアルモード通信デバイスが、
前記デュアルモード通信デバイスが第2のサブスクリプションモードにおいて動作する離調期間に先行する時間期間において受信された通信に応答して、前記シングルモード通信ノードに少なくとも1つのフェイクNACKメッセージを送ること、および
前記離調期間が終了した後、前記シングルモード通信ノードから受信された通信に、ACKメッセージで応答すること
を行うように構成される、通信システム。
【請求項１５】
前記デュアルモード通信デバイスが、前記離調期間の直前の前記時間期間において、前記シングルモード通信ノードから受信された前記通信を復号する、請求項14に記載の通信システム。
【請求項１６】
前記通信が、前記離調期間の直前の前記時間期間において行われた通信の再送信である場合、前記デュアルモード通信デバイスが、前記離調期間が終了した後に、前記シングルモード通信ノードから受信された前記通信を復号しない、請求項15に記載の通信システム。
【請求項１７】
前記離調期間の直前の前記時間期間が6msである、請求項14に記載の通信システム。
【請求項１８】
前記デュアルモード通信デバイスが、前記シングルモード通信ノードとの通信のためのスケジューリングレートを決定するようにさらに構成される、請求項14に記載の通信システム。
【請求項１９】
前記シングルモード通信ノードに前記少なくとも1つのフェイクNACKメッセージを前記送ることが、前記決定されたスケジューリングレートがしきい値よりも低い場合に発生する、請求項18に記載の通信システム。
【請求項２０】
前記スケジューリングレートの前記決定が、前記離調期間より100ms前に行われる、請求項18に記載の通信システム。
【発明の詳細な説明】
【技術分野】
【０００１】
関連特許出願の相互参照
本出願は、その全体が参照により本明細書に組み込まれる、2015年12月4日に出願した「DELIBERATING RETRANSMISSIONS TO AVOID NEW HYBRID AUTOMATIC REPEAT REQUESTS (HARQ)」という名称の米国非仮出願第14/959,654号の優先権を主張するものである。
【０００２】
本開示の態様は、一般に、ワイヤレス通信システムに関し、より詳細には、マルチSIMデバイスにおける離調に関する。
【背景技術】
【０００３】
モバイルフォンデバイスまたはスマートフォンなどのワイヤレス通信デバイスは、少なくとも1つの加入者識別モジュール(SIM)を含み得る。各SIMは、1つまたは複数のサブスクリプションを可能にし得る。各サブスクリプションは、無線アクセス技術(RAT)に対応し得る。具体的には、マルチSIMワイヤレス通信デバイスに関して、すべてのSIMがアクティブであるとき、ワイヤレス通信デバイスは、マルチSIMマルチアクティブ(MSMA)デバイスであり得る。一方、1つのSIMがアクティブであると同時に、残りのSIMがスタンバイ中であるとき、ワイヤレス通信デバイスは、マルチSIMマルチスタンバイ(MSMS)デバイスであり得る。デュアルSimデュアルスタンバイ(DSDS)またはマルチSIMマルチスタンバイ(MSMS)デバイスでは、SIMによって共有される1つのRFチェーンのみがあるので、1つのSIMのみがアクティブである。RATには、限定はしないが、周波数分割多元接続(FDMA)、時分割多元接続(TDMA)、モバイル通信用グローバルシステム(GSM(登録商標))、符号分割多元接続(CDMA)、(特に、エボリューションデータオプティマイズド(EVDO))、ユニバーサルモバイルテレコミュニケーションズシステム(UMTS)(特に、広帯域符号分割多元接続(WCDMA(登録商標))、ロングタームエボリューション(LTE)、単一無線LTE(SRLTE)、同時GSM(登録商標)およびLTE(SGLTE:Simultaneous GSM(登録商標) and LTE)、高速ダウンリンクパケットアクセス(HSDPA)など)、符号分割多元接続1x無線送信技術(1x)、汎用パケット無線サービス(GPRS)、Wi-Fi、パーソナル通信サービス(PCS)、および、ワイヤレス通信ネットワークまたはデータ通信ネットワーク内で使用され得る他のプロトコルが含まれ得る。
【０００４】
いくつかのワイヤレスデバイスは、2つの別個のサブスクリプションを介した、2つの別個のネットワークにおける通信を容易にするように構成される。たとえば、デュアル加入者識別モジュール(SIM)、デュアルスタンバイ(DSDS)デバイスは、一方のカードが第1のサブスクリプション用、および第2のカードが第2のサブスクリプション用である、2つのSIMカードを含み得る。さらに、各サブスクリプションは、1つまたは複数の技術タイプに関連付けられ得る。たとえば、第1のサブスクリプションは、モバイル通信用グローバルシステム(GSM(登録商標))などの2G通信技術をサポートし得るのみであり、一方、第2のサブスクリプションは、1つまたは複数の3G通信技術(たとえば、広帯域符号分割多元接続(WCDMA(登録商標)))および2G通信技術をサポートし得る。
【０００５】
DSDSデバイスでは、ユーザは、2つのサブスクリプションのうちの1つを介して、音声呼、データ呼、データセッション、テキストメッセージングセッション、または任意の他のデータ転送セッションなどの呼を確立し得る。大部分のDSDSデバイスは、トランシーバなどの単一の無線リソースを含んでおり、その場合、第1のサブスクリプションは第1のサブスクリプションネットワークとの進行中の呼を確立しているので、UEは、ページング信号を受信するために、ならびに、たとえば、メッセージ肯定応答信号および/または測定指示信号を送信するために、トランシーバを第2のサブスクリプションに離調させる。したがって、第1のサブスクリプションが進行中の呼を続ける間、トランシーバは、そのような必要なページングおよび/または制御情報を受信するために、第1のサブスクリプションから第2のサブスクリプションに定期的に離調し得る。
【０００６】
したがって、DSDSデバイスでは、ユーザは、第1のサブスクリプションを介してデータ呼に従事し得るが、第2のサブスクリプションに関連付けられた制御データを受信するために離調するために、データセッションを間欠的に停止させなければならず、それは典型的にはアイドルモードである。この離調は、その進行中のデータ呼のための第1のサブスクリプションにおけるデータスループットの低減につながり得、その理由は、デバイスが第2のサブスクリプションに離調し、第2のサブスクリプションが次いで、トランシーバなどの無線リソースを使用中である間、データ呼に関してデータ転送は起こらないからである。さらには、基地局の登録に関連したソフトウェア処理を完了するために、第2のサブスクリプションは、長い時間期間の間に無線リソースを保持することがあり、それによって、第1のサブスクリプションにおけるデータスループットの低減の問題が悪化する。しかしながら、第2のサブスクリプションは、ページングメッセージなど、そのネットワークから制御データを定期的に受信しなければならないので、離調が完全に回避され得るとは限らない。
【０００７】
したがって、第2のサブスクリプションが必須のメッセージを受信するために離調することを可能にしながら、アクティブなデータセッションを継続するとき、第1の技術における性能の向上を可能にするための方法および装置が使用される。
【発明の概要】
【課題を解決するための手段】
【０００８】
本開示の態様は、概して、離調(TA:tune-away)より前に偽または「フェイク」NACK/Txメッセージをトリガすることによって、マルチSIM、マルチスタンバイワイヤレスデバイスにおけるネットワークサブスクリプションのための改善されたスループットのための方法および装置を提供する。TAより前に偽NACK/Txメッセージを送ることによって、スケジューリングレートにかかわらず、DL/UL許可を受信しないために、eNBが再送信でビジーのままに保たれる。回復は、TA後、第1のセットの再送信におけるTA後に発生する。例示的な実装形態では、ユーザ機器(UE)は、TAより前の100msの間にスケジューリングレートを測定し、それが50%未満(低スケジューリングレート)である場合、UEは、離調開始サブフレームより6ms前から開始して、偽NACK/Txメッセージを送る。偽NACK/Txメッセージは、TA中にUEによってすでに受信されたメッセージを、eNBが再送信することを生じる。TA後、UEは、すでにそのメッセージを受信および復号したので、再送信におけるACKを送ることができる。スケジューリングレートが50%よりも高い(高スケジューリングレートである)場合、UEは、離調より前にその通常動作を行い、フェイクNACKメッセージは送られない。
【０００９】
さらなる態様では、本開示は、第1のサブスクリプションと第2のサブスクリプションとを有する、ワイヤレス通信デバイスを管理する方法を提供する。方法は、第1のサブスクリプション通信モード中に、ユーザ機器において、ノードからの通信を受信および復号するステップと、ユーザ機器が第2のサブスクリプション通信モードにおいて通信する離調期間より前のある時間期間の後、ノードからユーザ機器への通信に応答して、ユーザ機器からノードにフェイクNACKメッセージを通信するステップと、離調期間が終了した後、ノードからユーザ機器において通信を受信し、ACKメッセージで応答するステップとを含む。
【００１０】
さらに、本開示は、少なくとも1つの無線周波数(RF)リソースと、少なくとも1つのRFリソースに結合され、第1のサブスクリプションに関連付けられた第1の加入者識別モジュール(SIM)に、および第2のサブスクリプションに関連付けられた第2のSIMに接続するように構成された、プロセッサとを含む、ワイヤレスデバイスを提供する。プロセッサは、第1のサブスクリプションに関連付けられた第1の通信モード中に、ノードからの通信を受信すること、第2のサブスクリプションに関連付けられた第2の通信モードのための離調期間より前のある時間期間後に受信された、ノードからの通信に応答して、ノードにフェイクNACKメッセージを通信すること、および、離調期間の後、ノードからの通信を受信し、ACKメッセージで応答することを行うためのプロセッサ実行可能命令で構成される。
【００１１】
加えて、本開示は、第1のデバイスが第1のサブスクリプションモードおよび第2のサブスクリプションモードにおいて選択的に動作するように構成される、通信システムを提供する。通信システムは、第1のサブスクリプションモードにおいて通信するように構成されたシングルモード通信ノードと、第1のサブスクリプションモードである間、シングルモード通信ノードからの通信を受信するように構成された、デュアルモード通信デバイスとを含む。デュアルモード通信デバイスは、デュアルモード通信デバイスが第2のサブスクリプションモードにおいて動作する離調期間の直前の時間期間において受信された通信に応答して、シングルモード通信ノードにフェイクNACKメッセージを通信すること、および、離調期間が終了した後、シングルモード通信ノードから受信された通信に、ACKメッセージで応答することを行うように構成される。
【００１２】
本明細書に組み込まれ、本明細書の一部を構成する添付の図面は、本開示の例示的な実施形態を示し、上記の一般的な説明および下記の発明を実施するための形態とともに、様々な実施形態の特徴について説明するのに役立つ。
【図面の簡単な説明】
【００１３】
【図１】スケジューリング要求スロットリングが様々な実施形態に従って実装され得る、通信システムの一例を示す概略図である。
【図２】スケジューリング要求スロットリングが様々な実施形態に従って実装され得る、ワイヤレス通信デバイスの一例を示す構成要素ブロック図である。
【図３】最適化されていない技法による、各サブフレーム内に巡回冗長検査(CRC)コードと、ハイブリッド自動再送要求(HARQ)コードと、冗長バージョン(RV)コードとを含む、ワイヤレス通信システムにおける通信フレームを示すチャートである。
【図４】最適化されていない技法による、各サブフレーム内にCRCコードと、HARQコードと、RVコードとを含む、ワイヤレス通信システムにおける通信フレームを示すチャートである。
【図５】例示的な実施形態による、最適化された技法による、各サブフレーム内にCRCコードと、HARQコードと、RVコードとを含む、ワイヤレス通信システムにおける通信フレームを示すチャートである。
【図６】例示的な実施形態による、意図的再送信の最適化された技法において実行される動作を示すフロー図である。
【図７】例示的な実施形態による、意図的再送信技法の様々な実施形態とともに使用するのに好適なワイヤレス通信デバイスの構成要素ブロック図である。
【発明を実施するための形態】
【００１４】
添付の図面を参照して、様々な実施形態について詳細に説明する。可能なときには必ず、図面全体を通じて、同一のまたは同様の部分を指すために同一の参照番号が使用され得る。異なる参照番号は、異なる、同一の、または同様の部分を指すために使用され得る。特定の例および実装形態に対して行われる言及は、説明を目的とし、本開示の範囲または特許請求の範囲を限定するものではない。
【００１５】
本開示は、DSDSデバイスにおける改善された離調のための方法および装置を提示する。具体的には、本開示は、離調期間より前にフェイクNAK/Tx通信をトリガすることによって、離調から生じる通信における潜在的な遅延を低減するための方法および装置を提供する。フェイクNAK/Tx通信をスケジュールすることによって、eNBは、フェイクNAK/Tx通信のために受信されなかったと考えるデータを再送信する。eNBは、離調後、および再送信された通信が再度受信されるとき、肯定ACKを受信する。
【００１６】
概して、本明細書で説明する実施形態は、LTEワイヤレス通信デバイスに適用可能であり得、LTEワイヤレス通信デバイスでは、2つ以上のサブスクリプションの中から、1つのサブスクリプションが、所与の時間に同調されるかまたはアクティブであり得る。詳細には、実施形態は、2つ以上のサブスクリプションが同じ無線周波数(RF)リソースを共有し(RFリソース共有)、離調が、1つずつ、連続的にサブスクリプションとともに通信するために利用される、ワイヤレス通信デバイスに関連し得る。サブスクリプションの組合せの例には、限定はしないが、LTEおよび1x、LTEおよびGSM(登録商標)、SRLTEおよびGSM(登録商標)、SGLTEおよびGSM(登録商標)などが含まれる。
【００１７】
加えて、実施形態は、第1のサブスクリプションおよび第2のサブスクリプションが(MSMAデバイスにおいて)別個のRFリソースを利用するとき、第2のサブスクリプションへの干渉のために、第1のサブスクリプションの通信アクティビティを無効にする、ワイヤレス通信デバイスに同様に適用可能であり得る。そのような場合、第2のサブスクリプションに離調するのではなく、第1のサブスクリプションに関連付けられたRFリソースが、第2のサブスクリプションの通信アクティビティ中に無効またはブランクにされ得る。したがって、第1のサブスクリプションに関連付けられたRFリソースが無効にされる時間期間(無効時間間隔)は、本明細書で説明するようなMSMSシナリオに関係する離調時間間隔に対応し得る。
【００１８】
本明細書で使用する、「SIM」、「SIMカード」、および「加入者識別モジュール」という用語は、集積回路であるか、またはリムーバブルカードに組み込まれ得るメモリであって、ネットワーク上のワイヤレスデバイスを識別および/または認証し、ネットワークとの通信サービスを可能にするために使用される国際モバイル加入者識別情報(IMSI)、関連する鍵、および/または他の情報を記憶するメモリを指すために互換的に使用される。SIM内に記憶された情報は、ワイヤレスデバイスが特定のネットワークとの特定の通信サービスのための通信リンクを確立することを可能にするので、SIMおよび通信ネットワーク、ならびに、そのネットワークによってサポートされるサービス、サブスクリプション、およびRATは、互いに相関するので、「SIM」という用語はまた、本明細書では、特定のSIM内に記憶された(たとえば、様々なパラメータの形態の)情報に関連付けられ、それによって可能にされた、通信サービスへの簡略的な言及としても使用され得る。
【００１９】
様々な実施形態が、通信システム100内で実装され得、その一例が図1に示されている。図1を参照すると、第1のモバイルネットワーク102および第2のモバイルネットワーク104は、各々が複数のセルラー基地局(たとえば、第1の基地局130および第2の基地局140)に関連付け得る。第1の基地局130は、第1のサービングセル150内で第1のモバイルネットワーク102をブロードキャストし得る。第2の基地局140は、第2のサービングセル160内で第2のモバイルネットワーク104をブロードキャストし得る。ワイヤレス通信デバイス110は、第1のサービングセル150と第2のサービングセル160の両方に関連付けられ得る。
【００２０】
ワイヤレス通信デバイス110は、第1の基地局130への第1のセルラー接続132を通して、第1のモバイルネットワーク102と通信中であり得る。第1のセルラー接続132は、ワイヤレス通信デバイス110の第1のサブスクリプションに対応し得る。ワイヤレス通信デバイス110はまた、第2の基地局140への第2のセルラー接続142を通して、第2のモバイルネットワーク104と通信中であり得る。第2のセルラー接続142は、マルチSIMの文脈の場合のように、ワイヤレス通信デバイス110の第2のサブスクリプションに対応し得る。第1の基地局130は、ワイヤードまたはワイヤレス接続134を介して、第1のモバイルネットワーク102と通信中であり得る。第2の基地局140は、ワイヤードまたはワイヤレス接続144を介して、第2のモバイルネットワーク104と通信中であり得る。
【００２１】
第1のセルラー接続132および第2のセルラー接続142は、双方向ワイヤレス通信リンクを通して行われ得る。ワイヤレス通信リンクの各々は、限定はしないが、FDMA、TDMA、CDMA(たとえば、1x、EV-DO)、UMTS(たとえば、WCDMA(登録商標)、LTE、SRLTE、SGLTE、HSDPAなど)、GSM(登録商標) (たとえば、GPRS、EDGE)、Wi-Fi、PCS、および/または、ワイヤレス通信ネットワークもしくはデータ通信ネットワーク内で使用される別のプロトコルを含む、任意の好適なプロトコルによって可能にされ得る。非限定的な例による例示として、第1のセルラー接続132は、LTE、SRLTE、またはSGLTE接続/サブスクリプションであり得る。第2のセルラー接続142は、1xまたはGSM(登録商標)接続/サブスクリプションであり得る。他のサブスクリプション(限定はしないが、WCDMA(登録商標)、HSDPA、EVDOなど)は、同様の方法で実施され得る。
【００２２】
第1の基地局130および第2の基地局140の各々は、同じまたは異なるエリア内に位置する少なくとも1つのアンテナグループまたは送信局を含み得る。少なくとも1つのアンテナグループまたは送信局は、信号送信および受信とともにタスクが課され得る。第1の基地局130および第2の基地局140の各々は、基地局の機能を実行するための、1つまたは複数のプロセッサ、変調器、マルチプレクサ、復調器、デマルチプレクサ、アンテナなどを含み得る。いくつかの実施形態では、第1の基地局130および第2の基地局140の各々は、アクセスポイント、ノードB、発展型ノードB(eノードBまたはeNB)、トランシーバ基地局(BTS)などであり得る。
【００２３】
様々な実施形態では、ワイヤレス通信デバイス110は、ワイヤレス通信デバイス110のマルチSIMおよび/またはマルチモードSIM構成によって(たとえば、第1のセルラー接続132および第2のセルラー接続142を介して)、第1のモバイルネットワーク102および第2のモバイルネットワーク104にアクセスするように構成され得る。サブスクリプションに対応するSIMが挿入されるとき、ワイヤレス通信デバイス110は、SIM上に記憶された情報に基づいて、そのサブスクリプションまたはRATに関連付けられたモバイル通信ネットワークにアクセスし得る。
【００２４】
ワイヤレス通信デバイス110は、2つのセルラー接続を介してモバイルネットワーク102および104に接続されるように示されているが、他の実施形態(図示せず)では、ワイヤレス通信デバイス110は、少なくとも1つの追加の利用可能なサブスクリプションを使用して、追加のネットワーク接続を確立し得る。
【００２５】
いくつかの実施形態では、ワイヤレス通信デバイス110は、ワイヤレス通信デバイス110に関連して使用される周辺デバイス(図示せず)とのワイヤレス接続を確立し得る。たとえば、ワイヤレス通信デバイス110は、Bluetooth(登録商標)リンクを介して、Bluetooth(登録商標)対応パーソナルコンピューティングデバイス(たとえば、「スマートウォッチ」)と通信し得る。いくつかの実施形態では、ワイヤレス通信デバイス110は、Wi-Fi接続を介するなど、ワイヤレスアクセスポイント(図示せず)とのワイヤレス接続を確立し得る。ワイヤレスアクセスポイントは、ワイヤード接続を介してインターネットまたは別のネットワークに接続するように構成され得る。
【００２６】
図2は、スケジューリング要求スロットリングが様々な実施形態に従って実装され得る、ワイヤレス通信デバイス200の一例を示す構成要素ブロック図である。様々な実施形態によれば、ワイヤレス通信デバイス200は、図1を参照しながら説明したようなワイヤレス通信デバイス110の一例であり得る。図1〜図2を参照すると、ワイヤレス通信デバイス200は、第1のサブスクリプションに関連付けられる第1の識別モジュールSIM-1 204aを受け得る、第1のSIMインターフェース202aを含み得る。ワイヤレス通信デバイス200はまた、第2のサブスクリプションに関連付けられる第2の識別モジュールSIM-2 204bを受け得る、第2のSIMインターフェース202bを含み得る。
【００２７】
様々な実施形態におけるSIMは、GSM(登録商標)ネットワークおよび/またはUMTSネットワークへのアクセスを可能にする、SIMアプリケーション、および/またはユニバーサルSIM(USIM)アプリケーションで構成される、ユニバーサル集積回路カード(UICC)であり得る。UICCはまた、電話帳および他のアプリケーション用のストレージを提供し得る。代替的に、CDMAネットワークでは、SIMは、カード上のUICCリムーバブルユーザ識別モジュール(R-UIM)またはCDMA加入者識別モジュール(CSIM)であり得る。SIMカードは、中央処理ユニット(CPU)、読取り専用メモリ(ROM)、ランダムアクセスメモリ(RAM)、電気的消去可能プログラマブル読取り専用メモリ(EEPROM)、および入出力(I/O)回路を有し得る。集積回路カード識別(ICCID)SIMシリアル番号が、識別のためにSIMカード上に印刷され得る。しかしながら、SIMは、ワイヤレス通信デバイス200のメモリの一部分内に実装され得、したがって、別個のまたは取り外し可能な回路、チップ、またはカードである必要がないことがある。
【００２８】
様々な実施形態で使用されるSIMは、ユーザアカウント情報、IMSI、SIMアプリケーションツールキット(SAT)コマンドのセット、および他のネットワークプロビジョニング情報を記憶し、ならびに、ユーザの連絡先の電話帳データベース用の記憶空間を提供し得る。ネットワークプロビジョニング情報の一部として、SIMは、SIMカードネットワークオペレータプロバイダを示すためのホーム識別子(たとえば、システム識別番号(SID)/ネットワーク識別番号(NID)のペア、ホームPLMN(HPLMN)コードなど)を記憶し得る。
【００２９】
ワイヤレス通信デバイス200は、プロセッサ206などの少なくとも1つのコントローラを含み得、プロセッサ206は、コーダ/デコーダ(コーデック)208に結合され得る。コーデック208はさらに、スピーカー210およびマイクロフォン212に結合され得る。プロセッサ206は、少なくとも1つのメモリ214にも結合され得る。プロセッサ206は、マイクロプロセッサなど、任意の好適なデータ処理デバイスを含み得る。代替として、プロセッサ206は、任意の好適な電子プロセッサ、コントローラ、マイクロコントローラ、または状態機械であり得る。プロセッサ206はまた、コンピューティングデバイスの組合せ(たとえば、デジタル信号プロセッサ(DSP)とマイクロプロセッサの組合せ、複数のマイクロプロセッサ、DSPコアと連携する少なくとも1つのマイクロプロセッサ、または任意の他のそのような構成)として実装され得る。
【００３０】
メモリ214は、プロセッサ206によって実行可能なプロセッサ実行可能命令を記憶する、非一時的プロセッサ可読記憶媒体であり得る。たとえば、これらの命令は、(RFリソース218を含む)対応するベースバンドRFリソースチェーンを通して、第1のサブスクリプションまたは第2のサブスクリプションに関する通信データを経路指定することを含み得る。メモリ214は、ソフトウェアおよびデータを記憶するための任意の好適な内部または外部デバイスを含み得る。メモリ214の例には、限定はしないが、RAM、ROM、フロッピー(登録商標)ディスク、ハードディスク、ドングル、または他のリコンプセンサーボード(RSB:Recomp Sensor Board)接続メモリデバイスなどが含まれ得る。メモリ214は、オペレーティングシステム(OS)、ユーザアプリケーションソフトウェア、および/または実行可能命令を記憶し得る。メモリ214はまた、アレイデータ構造などのアプリケーションデータを記憶し得る。
【００３１】
プロセッサ206およびメモリ214は、各々、ベースバンドモデムプロセッサ216に結合され得る。ワイヤレス通信デバイス200内のSIM(たとえば、SIM-1 204aおよび/またはSIM-2 204b)は、少なくとも1つのベースバンドRFリソースチェーンに関連付けられ得る。ベースバンドRFリソースチェーンは、少なくとも1つのSIM上で通信するためのベースバンド/モデム機能を実行し得る、ベースバンドモデムプロセッサ216を含み得る。ベースバンドモデムプロセッサ216は、本明細書で概してRFリソース218またはRFチェーンと呼ばれる、1つまたは複数の増幅器および無線を含み得る。
【００３２】
本明細書で説明する実施形態は、第1のサブスクリプションおよび第2のサブスクリプションがRFリソース(特に、RFリソース218)を共有する、ワイヤレス通信デバイスに適用可能であり得る。本明細書で説明する実施形態はまた、第1のサブスクリプションおよび第2のサブスクリプションが、各々別個のRFリソースを有するが、第2のサブスクリプションのアクティビティが、それにもかかわらず、第1のサブスクリプションをデセンス(たとえば、干渉)して、第1のサブスクリプションが通信中であるときに第2のサブスクリプションが送信または受信することを防止する、ブランキングまたは電力バックオフを相殺するようにし得る、ワイヤレス通信デバイスにも適用可能であり得る。
【００３３】
RFリソース218は、ワイヤレス通信デバイス200の関連付けられたSIM204a、204bのための送信/受信機能を実行する、少なくとも1つのトランシーバを含み得る。RFリソース218は、別個の送信および受信回路を含み得、または、送信機機能と受信機機能とを結合するトランシーバを含み得る。RFリソース218は、ワイヤレスアンテナ220に結合され得る。RFリソース218はまた、ベースバンドモデムプロセッサ216にも結合され得る。
【００３４】
いくつかの実施形態では、プロセッサ206、メモリ214、ベースバンドモデムプロセッサ216、およびRFリソース218は、システムオンチップとしてワイヤレス通信デバイス200内に含まれ得る。いくつかの実施形態では、SIM204a、204b、およびそれらの対応するインターフェース202a、202bは、システムオンチップの外部にあり得る。さらに、様々な入力デバイスおよび出力デバイスが、インターフェースまたはコントローラなど、システムオンチップ上の構成要素に結合され得る。ワイヤレス通信デバイス200において使用するのに好適な例示的なユーザ入力構成要素は、限定はしないが、キーパッド224、タッチスクリーンディスプレイ226、およびマイクロフォン212を含み得る。
【００３５】
いくつかの実施形態では、キーパッド224、タッチスクリーンディスプレイ226、マイクロフォン212、またはその組合せは、発信呼を開始するための要求を受信する機能を実行することができる。たとえば、タッチスクリーンディスプレイ226は、連絡先リストから連絡先の選択を受信すること、または電話番号を受信することができる。別の例では、タッチスクリーンディスプレイ226およびマイクロフォン212のいずれかまたは両方は、発信呼を開始するための要求を受信する機能を実行することができる。たとえば、タッチスクリーンディスプレイ226は、連絡先リストから連絡先の選択を受信すること、または電話番号を受信することができる。別の例として、発信呼を開始するための要求は、マイクロフォン212を介して受信された音声コマンドの形をとり得る。ワイヤレス通信デバイス200における様々なソフトウェアモジュールと機能との間に、それらの間の通信を可能にするためにインターフェースが設けられ得る。
【００３６】
ワイヤレス通信デバイス200は、RFリソース218およびベースバンドモデムプロセッサ216上で第1のサブスクリプションおよび第2のサブスクリプションのアクティビティを管理および/またはスケジュールするように構成された、スケジューリングモジュール230を含み得る。たとえば、スケジューリングモジュール230は、第2のサブスクリプションへの離調をスケジュールすること、離調の長さを決定すること、スケジューリング要求を送るための最大カウントを決定すること、スケジューリング要求を送信すること、アップリンクデータRACHプロセスを開始することなどに関して本明細書で説明する、1つまたは複数のプロセスを実行するように構成され得る。
【００３７】
いくつかの実施形態では、スケジューリングモジュール230は、プロセッサ206とともに実装され得る。たとえば、スケジューリングモジュール230は、メモリ214内に記憶され、プロセッサ206によって実行される、ソフトウェアアプリケーションとして実装され得る。したがって、そのような実施形態は、最小限の追加のハードウェアコストで実装され得る。しかしながら、他の実施形態は、スケジューリングモジュール230に関して本明細書で説明する動作を実行するために特別に構成された専用ハードウェアを用いて実装される、システムおよびプロセスに関する。たとえば、スケジューリングモジュール230は、別個の(すなわち、プロセッサ206とは別個の)処理構成要素として実装され得る。スケジューリングモジュール230は、本明細書で説明する機能を実行するために、メモリ214、プロセッサ206、ベースバンドプロセッサ216、および/またはRFリソース218に結合され得る。
【００３８】
機能のためのハードウェアおよび/またはソフトウェアは、たとえば、ワイヤレス通信デバイス200の相手先商標製造会社(OEM)の構成の一部として、製造中にワイヤレス通信デバイス200内に組み込まれ得る。さらなる実施形態では、そのようなハードウェアおよび/またはソフトウェアは、1つまたは複数のハードウェアデバイスおよび/またはソフトウェアアプリケーションをワイヤレス通信デバイス200上にインストールすることなどによって、製造後、ワイヤレス通信デバイス200に追加され得る。
【００３９】
図面に図示されていない実施形態では、ワイヤレス通信デバイス200は、とりわけ、追加のSIM、SIMインターフェース、追加のSIMに関連付けられた少なくとも別のRFリソース、および、追加のモバイルネットワークに接続するための追加のアンテナを含み得る。
【００４０】
図3は、最適化されていない技法による、各サブフレーム内に巡回冗長検査(CRC)コードと、ハイブリッド自動再送要求(HARQ)コードと、冗長バージョン(RV)コードとを含む、ワイヤレス通信システムにおいてUEによって受信される通信フレームを示すチャート300を示す。最適化されていない技法では、LTEのためのDSDSソリューションは、数ミリ秒(第2のサブスクリプションの状態に応じて、約10〜35ms)の間、第2のサブスクリプション(たとえば、GSM(登録商標)、WCDMA(登録商標))に離調する。
【００４１】
図3におけるチャート300に示されているように、UEは、フレーム519、サブフレーム0〜5において、eNBからのすべての送信を受信および復号する。しかしながら、サブフレーム6において開始する、eNBからのダウンリンク許可は送られるが、UEは決してそれらを受信せず、その理由は、UEが離調中であり、eNBによって与えられたサブスクリプションとは異なるサブスクリプションにおいて動作中であるからである。離調がフレーム520、サブフレーム5において終了した後(合計10サブフレームの離調である)、UEは、不十分なチャネル状態(たとえば、フェージング)のために、eNBからの再送信の復号に失敗する。いくつかの失敗した送信試行(フレーム520のサブフレーム6〜9において「F」によって示される)の後、通信がフレーム521においてパスする(「P」)とき、UEは、ACK通信をeNBに返送し始める。
【００４２】
図4は、図3におけるUE通信ログのチャート300において示された通信シーケンスにおける追加の詳細を伴うチャート400を提供する。チャート400に示されているように、離調期間中に、フレーム519、サブフレーム8における、点402において、eNBは、HARQ2(RVO)を新しい許可として送信するが、UEは、離調中であるので、それを受信しない。eNBは、フレーム520、サブフレーム2における、点404において、4ms後にACKまたはNACKを受信することを期待するが、UEは、LTEチャネルをリッスンしていなかったので、決してそれを送らない。フレーム520、サブフレーム6における、点406において、eNBはHARQ2(RV2)を再送信するが、UEおよびeNBが同期していないので、UEはそれの受信に失敗する。UEは、フレーム521、サブフレーム0における、点408において、4ms後にNACKを送り、その理由は、UEが、フレーム520、サブフレーム6における、点406において、同期していなかったからである。次いで、4ms後、フレーム521、サブフレーム4における、点410において、eNBは、HARQ2のための次の再送信(RV3)を送り、UEは、不十分なチャネル性能である場合、失敗することになる。良好なチャネル性能がある場合、UEは、送信を受信し、4ms後、ACKをeNBに返送する。
【００４３】
チャート300および400に示された通信ログは、UEとeNBとの間の通信における離調時間期間の影響を示す。離調の悪影響は、離調が終了した後、信号強度が不十分であり、通信が適切に受信されず、UEおよびeNBが同期しようと試みているとき、悪化する。上記の例が機能したシナリオは、低スケジューリングレート/MCSの場合、または離調後の回復が遅いときの、ほぼ不十分なRF状態であった。
【００４４】
図5は、ノード(eNB)とユーザ機器(UE)とを有する、ワイヤレス通信システムにおける通信フレームを示すチャート500を示す。通信フレームは、例示的な実施形態による、最適化された技法による、各サブフレーム内にCRCコードと、HARQコードと、RVコードとを含む。概して、チャート500は、最適化された技法の利点を示す。チャート500は、ノードeNBとUEとの間の通信中に経時的にサブフレームの様々なセクションをもつUEログの図を提供する。セクション502は、eNBからの信号がUEにおいて適切に復号されるサブフレームである。たとえば、通信における点520において、サブフレーム2は、5のHARQがUEによってeNBから受信されることを示す。
【００４５】
例示的な実施形態では、セクション504は、UEがGSM(登録商標)などの異なる通信プロトコルを使用して通信する、離調期間のほぼ6ms前に開始する。セクション504中に、eNBは、良好なUE性能を見ず、その理由は、UEが、eNBからの通信に応答して、偽または「フェイク」NACK信号を送るからである。信号は、偽または「フェイク」NACK信号であり、その理由は、UEがeNBからの通信を受信するが、受信していないかのようにeNBに応答するからであり、それによって、新しいULまたはDL許可を受信しないようにするために、離調が再送信でビジーに保たれる。離調においてULおよびDL許可を送ることで、離調後、UEとeNBとの間の不一致が生じ得る。たとえば、離調において消失したDLまたはUL許可は、離調が終了した後、障害を引き起こし得る。セクション504において、サブフレーム2(HARQ5)の4ms後、点522において、UEは、(フレーム875-2において受信された)HARQ5のためのNACKを送る。点524において、eNBは、再度再送信し、UEは、重複データをパスし、その理由は、UEがNACKで応答したにもかかわらず、875-2においてそれをすでに復号したからである。
【００４６】
セクション506は、離調期間におけるサブフレームであり、それにおいて、eNBは、UEが受信したことをeNBが信じていない通信信号を再送信するが、UEが異なる通信プロトコルに離調されるので、eNBは良好なUE性能を見ない。たとえば、点526において、eNBは、UEがリッスン中ではないので、HARQ5のためにUEからNACK/ACKを受信しない。点526の4ms後の点528において、eNBは、同じ通信を再送信する。
【００４７】
セクション508は、UEがセクション504においてデータを受信したが、偽NACKを送ったので、信号のすべてをeNBが再送信し、UEがパスする、サブフレームである。UEは、セクション504において信号をすでに復号したので、チャネル信号が良好であるか不十分であるかにかかわらず、セクション508中にACKを送る。たとえば、点526において、eNBは、UEからNACK/ACKを受信することを期待するが、UEが離調中であったので、何も到着しない。しかしながら、点532で、eNBはHARQ5を再送信し、UEは、4ms後にACK信号を送る。したがって、離調後にUEとeNBとの間の通信が同期に戻ることは、比較的一貫した方法で発生し、その理由は、UEがフェイクNACK信号を送ったとき、UEは離調前の期間中にその通信をすでに処理したので、離調期間後に再送信されたメッセージが、チャネル品質にかかわらず、受信されるときに肯定応答されるからである。
【００４８】
図6は、例示的な実施形態による、意図的再送信の最適化された技法において実行される動作を示すフロー図である。特定の実施形態に応じて、追加の、より少数の、または異なる動作が実行され得る。例示的な実施形態では、動作610が実行され、動作610で、ユーザ機器(UE)は、LTEなどの1次通信モード中に、ネットワークノード(eNB)からの通信を受信および復号する。1次通信モードは、別の無線アクセス技術(RAT)であり得る。動作615で、UEは、離調より前に、スケジューリングレートを測定する。一例では、スケジューリングレートは、100msecにわたって測定されるが、他の例では、より長いかまたはより短くなり得る。動作617で、UEは、スケジューリングレートが低いか?を決定する。動作620で、1次通信モードから2次通信モードへのUE離調より前のある期間において、UEは、スケジューリングレートが低い場合、eNBからの通信を適切に受信および復号するにもかかわらず、フェイクNACKメッセージをeNBに送ることによって、eNBからの通信に応答する。一例では、離調より前の期間は、6ms以上である。スケジューリングレートが低くない場合、UEは動作640に進む。
【００４９】
スケジューリングレートおよびチャネル状態に応じて、離調後の障害回復が変動することになる。一例では、UEが、eNBとの通信のスケジューリングレートが50%未満(低スケジューリングレート)であると決定する場合、フェイクNACKメッセージが、離調より前に送られる。フェイクNACKメッセージが送られる理由は、不十分なチャネル状態(離調後の遅い回復を引き起こす低スケジューリングレート/MCS)において、1つの消失したUL許可が、NWからの高いペナルティを生じ得る長い時間期間の間に重複パケットを引き起こし得ることである。この状況は、TDD構成に応じて、TDD NWにおいてより悪くなり得る。しかしながら、スケジューリングレートが50%よりも高い(高スケジューリングレート)場合、フェイクNACKメッセージが送られず、ユーザ機器は、離調より前に通常の動作を実行し、その理由は、高スケジューリングレートでは、UEは、離調後、消失したULまたはDL許可を迅速に回復するからである。したがって、フェイクNACKメッセージを送ることは、高スケジューリングレート/MCSでは、スケジューリング性能を損なうことになる。したがって、本方法および装置は、チャネル状態が良好であるとき、フェイクNACKメッセージを送らない。代替例では、スケジューリングレートしきい値は、50%よりも低いかまたは高くなり得る。ネットワークがDTX検出を有する場合、より少ない離調後の障害が発生する。DTX検出を用いて、NWは、ACK/NACKが離調中のUEから受信されなかった場合、同じRV(同じ量のデータ)を離調後に送る。
【００５０】
動作630で、UEは、eNBが返信においてフェイクNACKを受信したので、すでに送られたデータの再送信である、eNBからの別の通信を受信する。UEは、重複データを前にすでに受信および復号したので、そのデータを復号せずにパスする。動作640で、UEは、GSM(登録商標)などの2次通信モードの離調期間に入る。2次通信モードは、別の無線アクセス技術(RAT)であり得る。離調中に、eNBは、UEからいかなるACKまたはNACKメッセージも受信しない。
【００５１】
動作650で、UEは離調から出て、1次通信モードに戻り、UEがフェイクNACKメッセージをeNBに送ったとき、離調期間より前に受信されたeNBからのデータを識別する。UEは、すでに復号したので、再送信を復号する必要はない。ただし、UEは次に、ACKをeNBに送り、通信の受信を肯定応答する。通信がすでに以前に復号されたので、不十分なチャネル品質の場合でも、ACKが通信される。別の離調期間が動作中に接近するまで、UEとeNBとの間の通信は継続する。
【００５２】
図5および図6を参照しながら説明したプロセスのテストは、eNBが離調期間中に再送信でビジーであるように、離調より前に偽または「フェイク」NACKを送ることによって、スケジューリングレートにかかわらず、第1のセットの再送信において、離調後、回復が発生することを示す。例示的な実装形態では、UEは、離調より前の100msの間にスケジューリングレートを測定し、それが50%未満である場合、UEは、離調期間のサブフレーム開始より6ms前から開始して、フェイクNAK/Txメッセージを送る。スケジューリングレートが50%よりも高い場合、UEは、離調より前にその通常動作を実行することができる。したがって、本方法および装置は、チャネル状態が良好であるとき、フェイクNACKメッセージを送らない。離調期間のサブフレーム開始より6ms前から開始して、フェイクNAK/Txメッセージを送ることによって引き起こされる劣化は、取り除かれる。
【００５３】
様々な実施形態は、様々なワイヤレス通信デバイス200のいずれかにおいて実装され得、その一例が、ワイヤレス通信デバイス700として図7に示されている。したがって、ワイヤレス通信デバイス700は、本明細書で説明するように、図1〜図6Bのプロセスおよび/または装置を実装し得る。
【００５４】
図1〜図7を参照すると、ワイヤレス通信デバイス700は、タッチスクリーンコントローラ704および内部メモリ706に結合された、プロセッサ702を含み得る。プロセッサ702は、汎用または特定の処理タスクに指定された1つまたは複数のマルチコア集積回路であり得る。メモリ706は、揮発性メモリまたは不揮発性メモリであってよく、また、セキュアメモリおよび/もしくは暗号化メモリ、または非セキュアメモリおよび/もしくは非暗号化メモリ、またはそれらの任意の組合せであってもよい。タッチスクリーンコントローラ704およびプロセッサ702はまた、抵抗感知タッチスクリーン、容量性感知タッチスクリーン、赤外線感知タッチスクリーンなど、タッチスクリーンパネル712に結合され得る。追加として、ワイヤレス通信デバイス700のディスプレイは、タッチスクリーン能力を有する必要がない。
【００５５】
ワイヤレス通信デバイス700は、プロセッサ702および少なくとも1つのアンテナ710に結合され、セルラー通信を送り、受信するために構成された、1つまたは複数のセルラーネットワークトランシーバ708a、708bを有し得る。トランシーバ708a、708bおよびアンテナ710は、様々な実施形態方法を実装するために、上述の回路とともに使用され得る。セルラーネットワークトランシーバ708a、708bは、RFリソース218であり得る。アンテナ710は、アンテナ220であり得る。ワイヤレス通信デバイス700は、トランシーバ708a、708bおよび/またはプロセッサ702に結合された、SIM-1 204aおよびSIM-2 204bに対応する、2つ以上のSIMカード716a、716bを含み得る。ワイヤレス通信デバイス700は、少なくとも1つのセルラーネットワークを介する通信を可能にし、プロセッサ702に結合される、セルラーネットワークワイヤレスモデムチップ711(たとえば、ベースバンドモデムプロセッサ216)を含み得る。
【００５６】
ワイヤレス通信デバイス700は、プロセッサ702に結合された周辺デバイス接続インターフェース718を含み得る。周辺デバイス接続インターフェース718は、1つのタイプの接続を受け入れるように単独で構成され得るか、あるいはUSB、FireWire、Thunderbolt、またはPCIeなどの、共通またはプロプライエタリの様々なタイプの物理接続および通信接続を受け入れるように複合的に構成され得る。周辺デバイス接続インターフェース718はまた、同様に構成された周辺デバイス接続ポート(図示せず)に結合され得る。
【００５７】
ワイヤレス通信デバイス700はまた、オーディオ出力を提供するためのスピーカー714を含み得る。ワイヤレス通信デバイス700はまた、本明細書で説明する構成要素のすべてまたは一部を含むための、プラスチック、金属、または材料の組合せから構成された筐体720をも含み得る。ワイヤレス通信デバイス700は、使い捨てバッテリーまたは充電式バッテリーなどの、プロセッサ702に結合された電源722を含み得る。充電式バッテリーはまた、ワイヤレス通信デバイス700の外部のソースから充電電流を受けるために、周辺デバイス接続ポート(図示せず)に結合され得る。ワイヤレス通信デバイス700はまた、ユーザ入力を受けるための物理的ボタン724を含み得る。ワイヤレス通信デバイス700はまた、ワイヤレス通信デバイス700をオンおよびオフするための電源ボタン725を含み得る。
【００５８】
示し説明した様々な実施形態は、特許請求の範囲の様々な特徴を示すための単なる例として提供されている。しかしながら、いずれかの所与の実施形態に関して示し説明した特徴は、関連する実施形態に必ずしも限定されるとは限らず、示し説明する他の実施形態とともに使用されるか、またはそれらと組み合わされ得る。さらに、特許請求の範囲は、いずれか1つの例示的な実施形態によって限定されるものではない。
【００５９】
上記の方法の説明およびプロセスフロー図は、単に説明のための例として提供され、様々な実施形態のステップが提示された順序で実行されなければならないことを必要とするまたは暗示するものではない。当業者によって諒解されるように、上記の実施形態におけるステップの順序は、任意の順序で実行され得る。「その後」、「次いで」、「次に」などの語は、ステップの順序を限定するものではなく、これらの語は単に、方法の説明を通じて読者を導くために使用される。さらに、たとえば、冠詞「a」、「an」、または「the」を使用する、単数形での請求項の要素へのいかなる言及も、その要素を単数形に限定するものとして解釈されるべきではない。
【００６０】
本明細書で開示した実施形態に関して説明した様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的な構成要素、ブロック、モジュール、回路、およびステップが、概してそれらの機能に関して上記で説明された。そのような機能をハードウェアとして実装するか、ソフトウェアとして実装するかは、具体的な適用例および全体的なシステムに課された設計制約に依存する。当業者は、説明された機能を特定の適用例ごとに様々な方法で実装してもよいが、そのような実装形態の決定は、本発明の範囲からの逸脱を引き起こすものと解釈されるべきではない。
【００６１】
本明細書で開示する実施形態に関して説明する様々な例示的な論理、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装され得る。代替的に、いくつかのステップまたは方法は、所与の機能に固有の回路によって実行され得る。
【００６２】
いくつかの例示的な実施形態では、説明した機能は、ハードウェア、ソフトウェア、ファームウェア、またはそれらの任意の組合せにおいて実装され得る。ソフトウェアにおいて実装される場合、機能は、非一時的コンピュータ可読記憶媒体または非一時的プロセッサ可読記憶媒体上に1つまたは複数の命令またはコードとして記憶され得る。本明細書で開示する方法またはアルゴリズムのステップは、非一時的コンピュータ可読記憶媒体または非一時的プロセッサ可読記憶媒体上に存在し得る、プロセッサ実行可能ソフトウェアモジュールにおいて具現化され得る。非一時的コンピュータ可読記憶媒体または非一時的プロセッサ可読記憶媒体は、コンピュータまたはプロセッサによってアクセスされ得る任意の記憶媒体であり得る。限定ではなく例として、そのような非一時的コンピュータ可読記憶媒体または非一時的プロセッサ可読記憶媒体は、RAM、ROM、EEPROM、フラッシュメモリ、CD-ROMもしくは他の光ディスクストレージ、磁気ディスクストレージもしくは他の磁気記憶デバイス、または、命令もしくはデータ構造の形態で所望のプログラムコードを記憶するために使用され得、コンピュータによってアクセスされ得る任意の他の媒体を含み得る。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)、およびblu-rayディスク(disc)を含み、ディスク(disk)は、通常、データを磁気的に再生するが、ディスク(disc)は、レーザーを用いてデータを光学的に再生する。上記の組合せも、非一時的コンピュータ可読媒体および非一時的プロセッサ可読媒体の範囲内に含まれる。さらに、方法またはアルゴリズムの動作は、コンピュータプログラム製品内に組み込まれ得る、非一時的プロセッサ可読記憶媒体および/または非一時的コンピュータ可読記憶媒体上のコードおよび/または命令の1つまたは任意の組合せもしくはセットとして存在し得る。
【００６３】
開示した実施形態の前述の説明は、いかなる当業者も本発明を作成または使用することができるように提供される。これらの実施形態に対する様々な修正は、当業者には容易に明らかであり、本明細書で定義された一般的な原理は、本発明の要旨または範囲から逸脱することなく、いくつかの実施形態に適用され得る。したがって、本発明は、本明細書に示す実施形態に限定されるものではなく、以下の特許請求の範囲、ならびに本明細書で開示する原理および新規の特徴と一致する最も広い範囲を与えられるべきである。
【符号の説明】
【００６４】
100  通信システム
102  第1のモバイルネットワーク、モバイルネットワーク
104  第2のモバイルネットワーク、モバイルネットワーク
110、200、700  ワイヤレス通信デバイス
130  第1の基地局
132  第1のセルラー接続
134  ワイヤードまたはワイヤレス接続
140  第2の基地局
142  第2のセルラー接続
144  ワイヤードまたはワイヤレス接続
150  第1のサービングセル
160  第2のサービングセル
202a  第1のSIMインターフェース、インターフェース
202b  第2のSIMインターフェース、インターフェース
204a  第1の識別モジュールSIM-1、SIM、SIM-1
204b  第2の識別モジュールSIM-2、SIM、SIM-2
206、702  プロセッサ
208  コーダ/デコーダ(コーデック)、コーデック
210、714  スピーカー
212  マイクロフォン
214  メモリ
216  ベースバンドモデムプロセッサ
218  RFリソース
220  ワイヤレスアンテナ、アンテナ
224  キーパッド
226  タッチスクリーンディスプレイ
230  スケジューリングモジュール
502、504、506、508  セクション
519、520、521、875-2  フレーム
402、404、406、408、410、520、522、524、526、528、532  点
704  タッチスクリーンコントローラ
706  内部メモリ、メモリ
708a、708b  セルラーネットワークトランシーバ、トランシーバ
710  アンテナ
711  セルラーネットワークワイヤレスモデムチップ
712  タッチスクリーンパネル
716a、716b  SIMカード
718  周辺デバイス接続インターフェース
720  筐体
722  電源
724  物理的ボタン
725  電源ボタン
【図１】
2019503602.tif 000003
【図２】
2019503602.tif 000004
【図３】
2019503602.tif 000005
【図４】
2019503602.tif 000006
【図５】
2019503602.tif 000007
【図６】
2019503602.tif 000008
【図７】
2019503602.tif 000009
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
第1のサブスクリプションと第2のサブスクリプションとを有する、ワイヤレス通信デバイスを管理する方法であって、
第1のサブスクリプション通信モード中に、ユーザ機器において、ノードからの通信を受信するステップと、
前記ユーザ機器と前記ノードとの間の通信のためのスケジューリングレートを決定するステップと、
前記ユーザ機器が第2のサブスクリプション通信モードにおいて通信する離調期間より前のある時間期間の後、前記ノードから前記ユーザ機器への通信に応答して、前記ユーザ機器から前記ノードに少なくとも1つのフェイクNACKメッセージを送るステップであって、前記ある時間期間の後、および前記離調期間より前に、前記ノードからの通信に応答して、前記ユーザ機器から前記ノードに少なくとも1つのフェイクNACKメッセージを送る前記ステップが、前記決定されたスケジューリングレートがしきい値よりも低い場合に発生する、ステップと、
前記離調期間が終了した後、前記ノードから前記ユーザ機器において通信を受信し、ACKメッセージで応答するステップと
を含む方法。
【請求項２】
前記ノードからの再送信である、前記離調期間後に受信された、前記受信された通信が、再送信として受信されたとき、前記ユーザ機器によって復号されない、請求項1に記載の方法。
【請求項３】
前記ユーザ機器が前記離調期間に入るより前に、前記ある時間期間を決定するステップをさらに含む、請求項1に記載の方法。
【請求項４】
前記第1のサブスクリプション通信モードがロングタームエボリューション(LTE)であり、前記第2のサブスクリプション通信モードがモバイル通信用グローバルシステム(GSM(登録商標))である、請求項1に記載の方法。
【請求項５】
前記しきい値が50%である、請求項1に記載の方法。
【請求項６】
前記スケジューリングレートの前記決定が、前記離調期間より100ms前に行われる、請求項1に記載の方法。
【請求項７】
ワイヤレス通信デバイスであって、
少なくとも1つの無線周波数(RF)リソースと、
前記少なくとも1つのRFリソースに結合され、第1のサブスクリプションに関連付けられた第1の加入者識別モジュール(SIM)に、および第2のサブスクリプションに関連付けられた第2のSIMに接続するように構成され、プロセッサ実行可能命令で構成された、プロセッサであって、前記プロセッサ実行可能命令が、
前記第1のサブスクリプションに関連付けられた第1の通信モード中に、ノードからの通信を受信すること、
ユーザ機器と前記ノードとの間の通信のためのスケジューリングレートを決定すること、
前記第2のサブスクリプションに関連付けられた第2の通信モードのための離調期間より前のある時間期間後に受信された、前記ノードからの通信に応答して、前記ノードに少なくとも1つのフェイクNACKメッセージを送ることであって、前記ある時間期間の後、および前記離調期間より前に、前記ノードからの通信に応答して、前記ユーザ機器から前記ノードに少なくとも1つのフェイクNACKメッセージを前記送ることが、前記決定されたスケジューリングレートがしきい値よりも低い場合に発生する、こと、ならびに
前記離調期間の後、前記ノードからの通信を受信し、ACKメッセージで応答すること
を行うためのものである、ワイヤレス通信デバイス。
【請求項８】
前記しきい値が50%である、請求項7に記載のデバイス。
【請求項９】
前記スケジューリングレートの前記決定が、前記離調期間より100ms前に行われる、請求項7に記載のデバイス。
【請求項１０】
第1のデバイスが第1のサブスクリプションモードおよび第2のサブスクリプションモードにおいて選択的に動作するように構成される、通信システムであって、前記通信システムが、
第1のサブスクリプションモードにおいて通信するように構成されたシングルモード通信ノードと、
前記第1のサブスクリプションモードである間、前記シングルモード通信ノードからの通信を受信するように構成された、デュアルモード通信デバイスとを備え、前記デュアルモード通信デバイスが、
前記シングルモード通信ノードとの通信のためのスケジューリングレートを決定すること、
前記デュアルモード通信デバイスが第2のサブスクリプションモードにおいて動作する離調期間に先行する時間期間において受信された通信に応答して、前記シングルモード通信ノードに少なくとも1つのフェイクNACKメッセージを送ることであって、前記シングルモード通信ノードに少なくとも1つのフェイクNACKメッセージを前記送ることが、前記決定されたスケジューリングレートがしきい値よりも低い場合に発生する、こと、および
前記離調期間が終了した後、前記シングルモード通信ノードから受信された通信に、ACKメッセージで応答すること
を行うように構成される、通信システム。
【請求項１１】
前記デュアルモード通信デバイスが、前記離調期間の直前の前記時間期間において、前記シングルモード通信ノードから受信された前記通信を復号する、請求項10に記載の通信システム。
【請求項１２】
前記通信が、前記離調期間の直前の前記時間期間において行われた通信の再送信である場合、前記デュアルモード通信デバイスが、前記離調期間が終了した後に、前記シングルモード通信ノードから受信された前記通信を復号しない、請求項11に記載の通信システム。
【請求項１３】
前記離調期間の直前の前記時間期間が6msである、請求項10に記載の通信システム。
【請求項１４】
前記スケジューリングレートの前記決定が、前記離調期間より100ms前に行われる、請求項10に記載の通信システム。
【国際調査報告】
2019503602.tif 000010
2019503602.tif 000011